(57)【要約】【課題】湯水を浴びる者の下肢形状の相違を考慮しつつ、飛散湯水の装置外部への漏出を防止することを目的とする。【解決手段】下肢水浴装置１０は、上部２０を覆う前カバー２１および後カバー２２に、下肢を取り囲む形状の開口２７Ｌ，２７Ｒを備える。この開口２７Ｌ，２７Ｒ内には、開口２７Ｌ，２７Ｒの中心付近に穴部２５Ｌ，２５Ｒを有するゴム部材２３Ｌ，２４Ｌ，ゴム部材２３Ｒ，２４Ｒが設けられている。【選択図】  図１
2004267656.tif 000002
【特許請求の範囲】
【請求項１】
下肢に湯水を浴びせる下肢水浴装置であって、
足が載せられる足置き台と、
水浴対象となる下肢部分の存在範囲を、前記足置き台を含んで取り囲む本体と、
該本体内において湯水を飛水するノズルと、
該ノズルに前記湯水を給水する給水機構とを有し、
前記本体における天井壁箇所には、前記足置き台に足が載せられた状態の下肢を取り囲む範囲に、開口が形成されており、
該開口を絞る絞り手段を備えた
下肢水浴装置。
【請求項２】
前記絞り手段は、前記開口内に設けられた弾性部材である請求項１に記載の下肢水浴装置。
【請求項３】
前記絞り手段は、前記開口内に設けられた可撓性部材の撓みを利用して前記開口を絞る手段である請求項１に記載の下肢水浴装置。
【請求項４】
前記本体における天井壁箇所の少なくとも一部が、開閉可能なカバー部材で形成された請求項１ないし３のいずれかに記載の下肢水浴装置。
【請求項５】
前記開口が前記カバー部材の端部を切り欠くことにより形成された請求項４に記載の下肢水浴装置。
【請求項６】
前記足置き台に足が載せられた状態を検出して前記ノズルからの湯水の吐水を開始する吐水開始手段を備えた請求項１ないし５のいずれかに記載の下肢水浴装置。
【請求項７】
前記足置き台から足が離れた状態を検出して前記ノズルからの湯水の吐水を停止する吐水停止手段を備えた請求項１ないし６のいずれかに記載の下肢水浴装置。
【請求項８】
請求項４ないし７のいずれかに記載の下肢水浴装置であって、
前記カバー部材の開閉状態を検出する状態検出手段と、
該状態検出手段により前記カバー部材の開状態が検出されたとき、前記ノズルからの湯水の吐水を禁止する禁止手段と
を備えた下肢水浴装置。
【請求項９】
前記本体における天井壁箇所の少なくとも一部に透明部材が用いられた請求項１ないし８のいずれかに記載の下肢水浴装置。
【発明の詳細な説明】
【０００１】
【発明の属する技術分野】
本発明は、下肢に水を浴びせる下肢水浴装置に関する。
【０００２】
【従来の技術】
従来、足裏に水を噴射して足裏をマッサージする足裏水圧マッサージ器や下肢の患部に温水を噴射して温熱治療を実現する温熱治療用シャワー装置が提案されていた（例えば、特許文献１、特許文献２を参照）。これらの装置では、噴射された水や温水の飛散を防止するために、噴射位置の上方にカバーや覆い手段を設けていた。
【０００３】
【特許文献１】
特開平３−１１１０４９号公報
【特許文献２】
特開平１１−１９７２０４号公報
【０００４】
【発明が解決しようとする課題】
しかしながら、上記のような従来の装置では、カバーや覆い手段と噴射対象である下肢との間に隙間が生じるため、足裏や下肢に当たって飛散した水や温水（以下、飛散湯水という）が装置外部に漏出して意に反した箇所にかかってしまうおそれがあり、こうした隙間からの飛散湯水の漏出について改善の余地が残されていた。また、上記従来の装置では、カバーや覆い手段の形状が画一的であるのに対し、足のサイズや下肢の形状は様々であることから、上記隙間に広狭が生じる。このため、特に隙間が大きくなったような場合にあっては、飛散湯水の装置外部への漏出が起き易くなるという難点があった。
【０００５】
そこで、本発明は、湯水を浴びる者の下肢形状の相違を考慮しつつ、飛散湯水の装置外部への漏出を防止することを目的として、以下の構成を採った。
【０００６】
【課題を解決するための手段およびその作用・効果】
本発明の下肢水浴装置は、
下肢に湯水を浴びせる下肢水浴装置であって、
足が載せられる足置き台と、
水浴対象となる下肢部分の存在範囲を、前記足置き台を含んで取り囲む本体と、
該本体内において湯水を飛水するノズルと、
該ノズルに前記湯水を給水する給水機構とを有し、
前記本体における天井壁箇所には、前記足置き台に足が載せられた状態の下肢を取り囲む範囲に、開口が形成されており、
該開口を絞る絞り手段を備えたことを要旨とする。
【０００７】
上記構成の下肢水浴装置では、本体における天井壁箇所の、足置き台に足が載せられた状態の下肢を取り囲む範囲には、開口が形成されており、この開口を絞る絞り手段を備える。こうした絞り手段によって開口が絞られる結果、その開口を下肢形状に応じた形状とすることが可能となり、開口と下肢との間に生じる隙間は下肢形状の相違に拘らず小さくなる。従って、飛散湯水の装置外部への漏出の防止効果が高まる。
【０００８】
上記の絞り手段を、開口内に設けられた弾性部材とすることも好適である。弾性部材は、外から力を加えることによって変形し、その力を取り除くことによって元の形に戻ろうとする性質を有する部材である。こうすれば、弾性部材は、水浴対象となる下肢部分が本体内に配置されることによって弾性変形し、該弾性変形によって生じる弾性力によって下肢に密着する。従って、飛散湯水の装置外部への漏出を簡便な手法で防止することができる。
【０００９】
上記の絞り手段を、開口内に設けられた可撓性部材の撓みを利用して開口を絞る手段とすることもできる。可撓性部材は、折り曲げるような力がかかっても壊れない性質を有する部材である。
【００１０】
体における天井壁箇所の少なくとも一部が、開閉可能なカバー部材で形成されることも、本体内部のメンテナンスが容易となる点で望ましい。また、カバー部材の端部を切り欠くことにより下肢を取り囲む開口を形成してもよい。こうすれば、使用者は、水浴対象となる下肢部分を、カバー部材を開けた状態で本体内に配置することが可能となる。こうした配置後にカバー部材が閉止されると、下肢はカバー部材の端部に形成された開口に取り囲まれ、この開口が絞り手段によって絞られる。従って、飛散湯水の装置外部への漏出の防止を、本体内に下肢部分を配置し易い構造で実現することができる。
【００１１】
足置き台に足が載せられた状態を検出してノズルからの湯水の吐水を開始する吐水開始手段を備えることも好適である。こうすれば、本体内に下肢が入っていないときに吐水されてしまうことを防止することができる。
【００１２】
足置き台から足が離れた状態を検出してノズルからの湯水の吐水を停止する吐水停止手段を備えることも好ましい。こうすれば、使用者は、下肢部分に湯水を浴びること（以下、足浴という）を止める際に煩雑な操作が不要となる。また、足置き台から足を離した後に吐水が不要に継続されることが防止される。
【００１３】
カバー部材の開閉状態を検出する状態検出手段と、該状態検出手段によりカバー部材の開状態が検出されたとき、ノズルからの湯水の吐水を禁止する禁止手段とを備えることも望ましい。こうすれば、カバー部材が開状態のときにノズルから湯水が吐水され、湯水が装置外部に出てしまうことを防止することができる。
【００１４】
本体における天井壁箇所の少なくとも一部に透明部材を用いることも、足置き台への足の配置状態やノズルからの吐水状態を装置外部から視認することが可能となる点で好適である。
【００１５】
【発明の実施の形態】
（１）実施例：
以下、本発明の実施の形態を実施例に基づき説明する。図１は本実施例の下肢水浴装置１０の概略構成を示す説明図、図２はこの下肢水浴装置１０における湯水の吐水の様子を示す説明図である。
【００１６】
図示するように、下肢水浴装置１０は、ゴム足１５付きの本体１２を備える。この本体１２は、足を含む下肢を収納可能な空間を有する上部２０と、吐水のための各種の機能部を収納可能な空間を有する下部３０を備える。下肢水浴装置１０は、上部２０内に収納された下肢に吐水ノズル４０から吐水された湯水を浴びせる装置である。
【００１７】
本体１２の天井壁は、上部２０内の空間を覆う前カバー２１と後カバー２２とによって構成されている。前カバー２１，後カバー２２は、それぞれ、上部２０の上端部の前端，後端に、開閉可能に軸着されている。なお、図示しないが、上部２０には、閉じられた前カバー２１ないし後カバー２２を閉止状態に保持するストッパが装着されている。
【００１８】
前カバー２１および後カバー２２は、いずれも透明度の高い部材で形成されている。従って、使用者は、前カバー２１，後カバー２２によって覆われた下肢部分の状態（例えば、足置き台５０への足の配置状態や吐水ノズル４０からの吐水状態）を装置１０の外部から視認することができる。
【００１９】
前カバー２１，後カバー２２は、閉止状態において互いに向き合う側端面２１ｔ，側端面２２ｔを備える。この側端面２１ｔ，側端面２２ｔには、それぞれ、マグネットスイッチ２１ａ，マグネットスイッチ２２ａが埋め込まれている。このマグネットスイッチ２１ａとマグネットスイッチ２２ａは、前カバー２１および後カバー２２が閉止されたときに対向する。
【００２０】
マグネットスイッチ２２ａは、後述する制御装置６４に電気的に接続されており、マグネットスイッチ２１ａと対向しない状態（前カバー２１および後カバー２２が閉止されていない状態）において制御装置６４にオフ信号を出力し、マグネットスイッチ２１ａと対向する状態（前カバー２１および後カバー２２が閉止されている状態）において制御装置６４にオン信号を出力する（図６を参照）。
【００２１】
側端面２１ｔと側端面２２ｔとが向き合った箇所には略円形の開口２７Ｌ，２７Ｒが設けられている。この開口２７Ｌ，２７Ｒは、前カバー２１の側端面２１ｔの２箇所，後カバー２２の側端面２１ｔの２箇所を、それぞれ半円状に切り欠いた形状とすることにより形成されている。各開口２７Ｌ，２７Ｒは、図２に示すように、足置き台５０に足が載せられた状態の下肢を取り囲む形状で形成されている。
【００２２】
こうした各開口２７Ｌ，２７Ｒ内には、弾性部材としてのゴム部材２３Ｌ，２４Ｌ，ゴム部材２３Ｒ，２４Ｒが設けられている。ゴム部材２３Ｌ，２３Ｒは、前カバー２１の裏面に装着されており、ゴム部材２４Ｌ，２４Ｒは後カバー２２の裏面に装着されている。本実施例では、上記のゴム部材２３Ｌ，２４Ｌ，２３Ｒ，２４Ｒが、特許請求の範囲における「絞り手段」ないし「弾性部材」に相当する。
【００２３】
後カバー２２を閉止した後に前カバー２１を閉止すると、開口２７Ｌ，２７Ｒ内には、ゴム部材２３Ｌ，２３Ｒとゴム部材２４Ｌ，２４Ｒとが重なる部分（以下、重合部ＤＬ，ＤＲという）が形成される。また、開口２７Ｌの中心部，開口２７Ｒの中心部には、ゴム部材２３Ｌ，２４Ｌ，ゴム部材２３Ｒ，２４Ｒが存在しない空隙部分である穴部２５Ｌ，２５Ｒが形成される。
【００２４】
図２に示すように、上部２０の内部底面には足置き台５０が設けられている。足置き台５０は、両足が載せられる上面板５４を備える。上面板５４の中央部には、足の裏を指向して湯水を吐水する吐水ノズル４０からの湯水を通過させる貫通穴５１が形成されている。
【００２５】
足置き台５０の拡大断面を図３に示した。図３に示すように、上面板５４には小径の孔５３が多数形成されている。この多数の孔５３により、上面板５４の表面における湯水の滞留を抑制することができる。
【００２６】
図３に示すように、上面板５４の表面には、足の固有箇所である踵を案内する踵凹所５０ａが形成されている。よって、本装置の使用者が足置き台５０に足を載せたとき、足の踵は、踵凹所５０ａに案内されてこの踵凹所５０ａに入り込む。これにより、足置き台５０上の足の位置が踵を基準として定まる。
【００２７】
上面板５４の裏面には、踵凹所５０ａの形成位置に対応する位置に、樹脂モールドされた足裏センサ５２が設置されている。この足裏センサ５２は、圧力検出素子をマトリックス状に配設して構成され、後述する制御装置６４に電気的に接続されている。足裏センサ５２は、非押圧状態では制御装置６４にオフ信号を出力し、踵凹所５０ａへの荷重による押圧によって制御装置６４にオン信号を出力する。
【００２８】
なお、上記の上部２０，前カバー２１，後カバー２２，足置き台５０を、片足のみの収納や載置が可能に構成することも可能である。また、本実施例では、足置き台５０を上部２０の内部底面と一体として形成したが、メンテナンス性を考慮して足置き台５０を着脱可能に構成しても差し支えない。
【００２９】
図２に戻って説明する。図２に示すように、下肢水浴装置１０は、上部２０内に、足置き台５０に載置された足に湯水を浴びせかける吐水ノズル４０を備える。吐水ノズル４０は、足置き台５０に載置された足の各部（裏，指，爪，くるぶし、甲、かかと、足首等）を指向して湯水が吐水されるように、上部２０の内部に多数設置されている。このうち、図２では、上部２０と下部３０との間に設置固定され、上部２０の内底から足置き台５０に載置された足の裏を指向して湯水を吐水する吐水ノズル４０を、代表例として示している。この代表例としての吐水ノズル４０から吐水された湯水は、足置き台５０に形成された貫通穴５１を通過して、足裏の所定の箇所（例えば、つぼ）に到達する。
【００３０】
吐水ノズル４０から吐水されて上部２０内に飛散した湯水（以下、飛散湯水という）は、排水孔２８を通って装置１０の外部に排出される。これにより、上部２０内に飛散湯水が滞留して吐水ノズル４０が水没してしまうといった事態を有効に防止することができる。本実施例において、排水孔２８は、上部２０の内底面から下部３０の底面までを貫通することによって形成されている。また、上部２０の内底面には、飛散湯水が排水孔２８にスムーズに流れていくように、排水孔２８に向かう傾斜が付与されている。なお、吐水ノズル４０を水没に耐え得る構造とした場合には、排水孔２８への装着によって排水孔２８を塞ぐ栓を別途用意してもよい。この栓を装着することにより、吐水ノズル４０から吐水された湯水を上部２０内に溜めて下肢を湯水に浸すことができる。
【００３１】
ここで、吐水ノズル４０の構造について説明する。図４は吐水ノズル４０とその作動の様子を説明する説明図である。図示するように、吐水ノズル４０は、ノズルブロック４１に湯水が流入する流入室４２を備え、この流入室４２にノズル体４４を傾斜姿勢を採るように組み込んで備える。ノズル体４４は、流入室４２に流入した湯水をその側面から内部に導き入れ、先端側に有底で形成された吐水孔４５から湯水を吐水する。
【００３２】
流入室４２にその偏心流路から図中矢印で示すように湯水が流入すると、流入室４２では、旋回流が生じる。この旋回流は、流入室４２内に位置するノズル体４４にこれを旋回させる力を及ぼす。ノズル体４４は、その先端側が開口４６に僅かな遊びを持って挿入支持され、上記したように傾斜姿勢を採ることから、開口４６による支持箇所を中心に傾斜姿勢で旋回する。ところで、ノズル体４４の先端側は、流入室４２においてガイド部４８でも案内される。このガイド部４８は、円形状の中ぐり孔であり、傾斜姿勢のノズル体４４の先端外壁と接触する。ノズル体４４は、上記の旋回流により傾斜姿勢のまま旋回しようとするが、その動きは、ノズル体先端とガイド部内壁との接触箇所Ｘで制限される。この接触箇所Ｘはガイド部形状の円弧に沿って移動するので、ノズル体４４は、そのノズル先端開口をガイド部形状の円弧に倣った円軌跡で移動させ（旋回させ）、こうした動きを起こしつつ吐水孔４５から湯水を吐水する。従って、傾斜して旋回しつつノズル体４４から吐水された湯水は、略円形状に足裏等に着水することになる。なお、こうした着水形状（本実施例では略円形状）は、ガイド部４８の中ぐり孔形状を変更することで種々のものとでき、例えば、ガイド部４８を楕円形状とすれば、ノズル体４４からの湯水の着水形状を略楕円形とすることができる。
【００３３】
このように下肢水浴装置１０では、略円形状に旋回された状態で湯水を吐水する吐水ノズル４０を用いたので、吐水される湯水の量が少量でも足に十分な刺激感を与えることが可能となる。従って、ノズル吐水用の湯水を効率的に使うことができる。
【００３４】
図２に戻って、下部３０に収納された各種の機能部について説明する。図２に示すように、下部３０内には、吐水ノズル４０に湯水を送り込む電動ポンプ６０と、電動ポンプ６０の給水孔に接続された給水管６３と、電動ポンプ６０の吐水孔と吐水ノズル４０の給水孔とを接続する可撓管６１とが収納されている。給水管６３は装置１０の外部に持ち出されており、この給水管６３に水道管や給湯管等の一次側配管が接続される。これにより、給水管６３から電動ポンプ６０に湯水が供給され、供給された湯水は電動ポンプ６０の動作によって吐水ノズル４０に圧送される。
【００３５】
上部２０と下部３０との間には、上部２０内や下部３０内の収納空間から独立した空間として収納室３８が形成されており、この収納室３８には制御装置６４が収納されており、この制御装置６４の出力側には電動ポンプ６０が接続されている。制御装置６４は、電動ポンプ６０に対してポンプの駆動パターンを指示することにより電動ポンプ６０の動作を制御し、吐水ノズル４０への湯水の供給の要否や吐水ノズル４０に供給する湯水の水勢等を調節する。このような水勢制御により、吐水ノズル４０から吐水される湯水の水勢を、足の状態（例えば、汚れの程度，外傷の有無，疲労の度合い等）に応じて変えることができる。本実施例では、上記の給水管６３，電動ポンプ６０，可撓管６１，制御装置６４が、特許請求の範囲における「給水機構」に相当する。
【００３６】
なお、図示していないが、制御装置６４の入力側にはセンサ装置が接続されており、このセンサ装置の受信部は収納室３８の側壁に外部に露出した状態で埋め込まれている。この受信部はリモコン装置１９からの設定信号を受信し、この設定信号を制御装置６４に入力する。制御装置６４は、入力された設定信号に基づいて電動ポンプ６０や前カバー２１および後カバー２２の動作を制御する。リモコン装置１９には、吐水ノズル４０からの吐水の開始（オン），終了（オフ）を指示する吐水スイッチ１９ａ、吐水される湯水の水勢を設定する水勢設定スイッチ１９ｃ、前カバー２１ないし後カバー２２の開閉を指示するカバー開閉スイッチ１９ｂ等が設けられている。吐水スイッチ１９ａ，水勢設定スイッチ１９ｃを用いた遠隔操作により、電動ポンプ６０の駆動状態を調節することができる。カバー開閉スイッチ１９ｂを用いた遠隔操作により、前カバー２１および後カバー２２を自動で開閉することができる。
【００３７】
また、制御装置６４の入力側には、既述した足裏センサ５２，マグネットスイッチ２２ａが接続されている（図３，図６を参照）。
【００３８】
次に、飛散湯水の下肢水浴装置１０外部への漏出を防止する仕組みについて説明する。図５は上部２０内への下肢ＦＴの配置に伴って開口２７Ｒ内が変化する様子を示す説明図である。図５（Ａ）および図５（Ｂ）は前カバー２１および後カバー２２を閉止した状態における下肢水浴装置１０の開口２７Ｒ付近の上面を表わしており、図５（Ａ），図５（Ｂ）は、それぞれ、足置き台５０に足が載置されていないときの様子，足置き台５０に足が載置され上部２０内に下肢ＦＴが配置されたときの様子を示している。図５（Ｃ）は図５（Ｂ）の５Ｃ−５Ｃ線に沿って下肢水浴装置１０を切断したときの矢視断面形状を示している。なお、図５（Ｂ），図５（Ｃ）では、説明の便宜上、下肢ＦＴを点模様のハッチングを用いて表わしている。
【００３９】
図５（Ａ）に示すように、足置き台５０に足を載置することなく前カバー２１および後カバー２２を閉止した状態では、下肢水浴装置１０の開口２７Ｒ内に、ゴム部材２３Ｒ，２４Ｒが存在しない空隙部分としての穴部２５Ｒが形成されている。下肢水浴装置１０を使用する際、使用者は、まず、カバー開閉スイッチ１９ｂの閉スイッチを押し、図５（Ａ）に示した閉止状態の前カバー２１および後カバー２２を開いた状態にする。この後、上部２０内に下肢ＦＴを挿入し、足置き台５０の踵凹所５０ａに足を載せ、カバー開閉スイッチ１９ｂの閉スイッチを押す。これにより、前カバー２１および後カバー２２が閉じられ、前カバー２１および後カバー２２は、既述したストッパによって、図５（Ｂ）に示すような閉止状態に保持される。
【００４０】
図５（Ｂ）に示す前カバー２１，後カバー２２の閉止状態においては、開口２７Ｒ内の下肢ＦＴの所定の部位（本実施例では、足首よりもやや上の、開口２７Ｒ近傍に位置する部位）ＦＴｓの周囲がゴム部材２３Ｒ，２４Ｒの弾性力によって適度に締め付けられるので、開口２７Ｒと下肢ＦＴとの間に隙間が生じない。締め付けられた部位ＦＴｓよりも下方の下肢部分ＦＴｍは、図５（Ｃ）に示すように、前カバー２１，後カバー２２およびゴム部材２３Ｒ，２４Ｒに覆われた状態で上部２０内に水浴対象として収納される。これにより、上部２０内の飛散湯水が下肢ＦＴと開口２７Ｒとの間から装置１０の外部に漏れ出すことが防止される。なお、図５では右足用の開口２７Ｒを例として説明したが、左足用の開口２７Ｌにおいても同様に、飛散湯水が下肢ＦＴと開口２７Ｌとの間から装置１０の外部に漏れ出すことが防止される。
【００４１】
図６は前カバー２１および後カバー２２を閉止した状態における上部２０付近の側面を示す説明図である。この図６では、閉止前の前カバー２１を二点鎖線を用いて表わしている。図６に示すように、前カバー２１および後カバー２２を閉止すると、前カバー２１および後カバー２２の下端部は、上部２０の上端部周縁に装着されたゴムパッキン１６を介して上部２０の上端部に密接する。また、前カバー２１および後カバー２２を閉止すると、前カバー２１の側端面２１ｔと後カバー２２の側端面２２ｔとが側端面２２ｔに装着されたゴムパッキン２２ｂを介して密接する。これにより、上部２０内の飛散湯水が前カバー２１，後カバー２２と上部２０との間や前カバー２１と後カバー２２との間から装置１０の外部に漏れ出すことが防止される。
【００４２】
次に、吐水ノズル４０からの吐水状態を制御する処理（吐水状態制御処理）について説明する。この吐水状態制御処理は、上述した制御装置６４が行なう処理であり、この処理の内容および手順を吐水状態制御処理ルーチンとして図７および図８に示す。本ルーチンは、下肢水浴装置１０に電源を投入したときに起動する。本ルーチンが起動されると、まず、入力を初期状態（吐水スイッチ１９ａからの入力信号が「オフ」の状態）に設定する処理を行ない（ステップＳ１００）、吐水スイッチ１９ａからオン信号を入力したか否かを判断する処理を行なう（ステップＳ１１０）。
【００４３】
吐水スイッチ１９ａからオン信号を入力したと判断した場合には、足裏センサ５２からの入力信号がオン，オフのいずれであるかを判断する処理を行なう（ステップＳ１２０）。足裏センサ５２からの入力信号がオフであると判断した場合には、足置き台５０の正規の位置に足が置かれていないとみなし、足置き台５０の踵凹所５０ａに踵を置く旨を指示する処理を行ない（ステップＳ１２５）、ステップＳ１２０の処理に戻る。
【００４４】
足裏センサ５２からの入力信号がオンであると判断した場合には、マグネットスイッチ２２ａからの入力信号がオン，オフのいずれであるかを判断する処理を行なう（ステップＳ１３０）。マグネットスイッチ２２ａからの入力信号がオフであると判断した場合には、前カバー２１および後カバー２２が閉止されていないとみなし、前カバー２１および後カバー２２を閉止する旨を指示する処理を行ない（ステップＳ１３５）、ステップＳ１３０の処理に戻る。
【００４５】
一方、マグネットスイッチ２２ａからの入力信号がオンであると判断した場合には、電動ポンプ６０に駆動信号を送出する処理を行なう（ステップＳ１４０）。これにより、電動ポンプ６０から吐水ノズル４０への湯水の供給が開始され、吐水ノズル４０から上部２０内に湯水が吐水される。
【００４６】
こうして吐水ノズル４０からの湯水の吐水が開始された後、足裏センサ５２からオフ信号を入力したか否かを判断する処理を行なう（ステップＳ１５０）。足裏センサ５２からオフ信号を入力したと判断した場合には、電動ポンプ６０に対して駆動を一時停止する旨の信号を送出する処理を行なう（ステップＳ１５５）。これにより、電動ポンプ６０から吐水ノズル４０への湯水の供給が待機状態となり、吐水ノズル４０からの吐水が一時停止される。なお、上記の一時停止の場合には、それまでに設定されていた水勢の設定値は制御装置６４内に保持される。
【００４７】
この後、足裏センサ５２からオン信号を入力した場合には（ステップＳ１６０）、電動ポンプ６０に対し、吐水ノズル４０から吐水される湯水の水勢が一時停止前と同じとなるように駆動を再開する旨の信号を送出する処理を行なう（ステップＳ１６５）。これにより、使用者は、足置き台５０に載置していた足を離したり置いたりすることにより、吐水ノズル４０からの吐水の実行あるいはその停止をコントロールすることができる。
【００４８】
ステップＳ１６０の処理において足裏センサ５２からオン信号を入力していないと判断した場合には、吐水ノズル４０から湯水が吐水されていない状態であることを考慮し、マグネットスイッチ２２ａからの入力信号の判断（ステップＳ１７０）を行なわずに、後述するステップＳ１９０の処理に移る。
【００４９】
一方、ステップＳ１５０の処理において足裏センサ５２からオフ信号を入力していないと判断した場合、ステップＳ１６５の処理において電動ポンプ６０の駆動を再開する旨の信号を送出する処理を行なった場合には、吐水ノズル４０から湯水が吐水されている状態であることを考慮し、マグネットスイッチ２２ａからオフ信号を入力したか否かを判断する処理を行なう（ステップＳ１７０）。
【００５０】
ステップＳ１７０の処理においてマグネットスイッチ２２ａからオフ信号を入力したと判断した場合には、閉止状態の前カバー２１，後カバー２２が吐水ノズル４０からの吐水中に開成されたとみなし、電動ポンプ６０に対して駆動を停止する旨の信号を送出する処理を行ない（ステップＳ１９５）、本ルーチンを終了する。一方、ステップＳ１７０の処理においてマグネットスイッチ２２ａからオフ信号を入力していないと判断した場合には、吐水スイッチ１９ａからオフ信号が入力されるまで、ステップＳ１５０ないしステップＳ１７０の処理を繰り返す（ステップＳ１９０）。吐水スイッチ１９ａからオフ信号が入力されたと判断した場合には、電動ポンプ６０に対して駆動を停止する旨の信号を送出する処理を行ない（ステップＳ１９５）、本ルーチンを終了する。
【００５１】
上記した本実施例の下肢水浴装置１０では、上部２０の天井壁を構成する前カバー２１，後カバー２２に、足置き台５０に足が載せられた状態の下肢ＦＴを取り囲む開口２７Ｌ，２７Ｒを形成すると共に、この開口２７Ｌ，２７Ｒを絞る絞り手段として、ゴム部材２３Ｌ，２４Ｌ，２３Ｒ，２４Ｒを下肢ＦＴを取り囲む態様で設ける。こうしたゴム部材２３Ｌ，２４Ｌ，２３Ｒ，２４Ｒは、水浴対象となる下肢部分ＦＴｍが上部２０内に配置された状態で前カバー２１，後カバー２２が閉止されることによって下肢ＦＴの部位ＦＴｓの外形に応じた形状に弾性変形し、この弾性変形によって生じる弾性力によって部位ＦＴｓに密着する。これにより、開口２７Ｌ，２７Ｒと下肢ＦＴとの間に生じる隙間は下肢形状の相違に拘らず小さくなる。従って、飛散湯水の装置１０の外部への漏出を簡便かつ確実に防止することができる。例えば、下肢部分ＦＴｍに湯水を浴びようとする者は、開口２７Ｌ，２７Ｒと下肢ＦＴとの間に生じる隙間を小さくするために、下肢部分ＦＴｍが本体１２の上部２０内に拘束された状態で、開口２７Ｌ，２７Ｒを絞るための煩雑な作業（例えば、部材の接続作業や部材の位置調節作業等）を行なう必要がない。
【００５２】
また、本実施例の下肢水浴装置１０では、上部２０の天井壁に開閉可能な前カバー２１，後カバー２２を備えるので、上部２０内のメンテナンス（例えば、上部２０内の清掃や吐水ノズル４０等の部品の交換）が容易となる。また、上記の開口２７Ｌ，２７Ｒは、前カバー２１の側端面２１ｔ，後カバー２２の側端面２１ｔをそれぞれ切り欠いた形状とすることにより形成されているので、使用者は、水浴対象となる下肢部分ＦＴｍを、前カバー２１，後カバー２２を開けた状態で上部２０内に配置することが可能となり、下肢部分ＦＴｍの出し入れがし易くなる。従って、飛散湯水の装置１０の外部への漏出防止を、本体１２内に下肢部分ＦＴｍを配置し易い構造で実現することができる。
【００５３】
本実施例の下肢水浴装置１０では、制御装置６４は、足置き台５０に足が載せられた状態を検出して吐水ノズル４０からの湯水の吐水を開始する。従って、水浴対象となる下肢部分ＦＴｍに確実に湯水を浴びせることができる。例えば、上部２０内に足が入っていない状態で吐水ノズル４０から不要に吐水がなされてしまうことがない。また、制御装置６４は、足置き台５０から足が離れた状態を検出して吐水ノズル４０からの湯水の吐水を停止する。従って、使用者は、足浴を止めるに際して煩雑な操作が不要となる。また、足置き台５０から足を離した後に吐水ノズル４０からの吐水が不要に継続されることが防止される。加えて、制御装置６４は、前カバー２１，後カバー２２の開閉状態を検出し、前カバー２１，後カバー２２のいずれかの開状態が検出されたとき、吐水ノズル４０からの湯水の吐水を禁止する。従って、前カバー２１や後カバー２２が開状態のときに吐水ノズル４０から湯水が吐水され、湯水が装置１０の外部に出てしまうことを防止することができる。
【００５４】
（２）変形例：
次に、上記実施例に対する変形例について説明する。以下の各変形例では、上記実施例の下肢水浴装置１０と共通する各部につき、符号の十の位以下を上記実施例と同じ数字ないし英字を用いて表わしている。
【００５５】
上記実施例では、本体１２の天井壁を、２枚に分割された前カバー２１，後カバー２２によって構成したが、３枚以上に分割されたカバーによって本体１２の天井壁を構成してもよいし、図９に示す第１変形例としての下肢水浴装置１１０のように、１枚のカバー１２１によって本体１１２の天井壁を構成してもよい。
【００５６】
また、図１０に示す第２変形例としての下肢水浴装置２１０のように、開閉可能なカバーに替えて、上部２２０内の空間を覆う天壁２２０ｔを設け、この天壁２２０ｔによって本体２１２の天井壁を構成するものとしても差し支えない。この下肢水浴装置２１０を使用する際、使用者は、開口２２７Ｌ，２２７Ｒ内に装着されたゴム部材２２３Ｌ，２２３Ｒの穴部２２５Ｌ，２２５Ｒから、ゴム部材２２３Ｌ，２２３Ｒの弾性変形を利用して、足を出し入れする。
【００５７】
上記実施例では、開口２７Ｌ，２７Ｒ内に装着される弾性部材としてゴム部材２３Ｌ，２３Ｒ，２４Ｌ，２４Ｒを用いたが、ゴム部材以外の弾性部材（例えば、シリコン樹脂部材，弾力性を有する多孔体，内部への流体の給排により膨張・収縮する袋状の部材（以下、袋状部材という）等）を用いることも可能である。弾性部材の成形材料としては、天然ゴムや合成ゴム（例えば、スチレン−ブタジエンゴム、二トリルゴム、シリコンゴム）、ゲル材料のほか、上記の材料を発泡させた発泡体、上記の材料に対して添加剤を付加したもの、上記の材料を他の材料と複合化したもの等を考えることができる。また、弾性部材の表面に耐水処理を施してもよい。
【００５８】
第１実施例における開口２７Ｌ，２７Ｒ内に、ゴム部材２３Ｌ，２３Ｒ，２４Ｌ，２４Ｒに替えて、弾力性を有する多孔体を装着した例を第３変形例として図１１に示した。この図１１（Ａ）〜（Ｃ）では、図５（Ａ）〜（Ｃ）に対応する上面ないし断面を表わしており、第１実施例と共通の各部については、符号の十の位以下を図５と同じ数字ないし英字を用いて表わしている。
【００５９】
図示するように、開口６２７Ｒの周囲の前カバー６２１，後カバー６２２には、それぞれ、弾力性を有する多孔体６２３Ｒ，６２４Ｒが装着されている。多孔体６２３Ｒ，６２４Ｒの表面には、多孔体６２３Ｒ，６２４Ｒの内部に水がしみ込まないように、防水加工が施されている。
【００６０】
図１１（Ａ）は、後カバー６２２を閉止した後に前カバー６２１を閉止したときの状態を表している。この状態において、開口６２７Ｒ内には、多孔体６２３Ｒと多孔体６２４Ｒとが重なる部分である重合部ＤＲが形成される。また、開口６２７Ｒの中心部には、多孔体６２３Ｒ，６２４Ｒが存在しない空隙部分である穴部６２５Ｒが形成される。なお、図示しない開口６２７Ｌ内にも、開口６２７Ｒ内と同様に、多孔体６２３Ｌ，６２４Ｌが設けられ、重合部ＤＬや穴部６２５Ｌが形成される。
【００６１】
このように構成された第３変形例によれば、開口６２７Ｒ内の多孔体６２３Ｒ，６２４Ｒは、上部６２０内に挿入された下肢部分ＦＴｍに当たって穴部６２５Ｒの大きさを拡張する方向に容易に変形し、この変形によって生じた弾力によって下肢ＦＴの部位ＦＴｓの周囲をソフトに締め付けながら部位ＦＴｓの形状に追従し、部位ＦＴｓの周囲に隙間なく接する。従って、飛散湯水の外部への漏出を防止できることに加え、装置の使用中において、部位ＦＴｓが過度に締め付けられることがなく、下肢部分ＦＴｍを楽に動かすことができる。この結果、長時間の足浴により適した装置を実現することができる。また、多孔体６２３Ｒ，６２４Ｒとして弾力性の高いものを用いれば、多孔体のクッション作用により開口６２７Ｒの周囲に体重をかけることができる。なお、第３変形例では、前カバー６２１，後カバー６２２の双方に多孔体を装着したが、いずれか一方のみに装着することとしても差し支えない。
【００６２】
第２変形例における開口２２７Ｌ，２２７Ｒ内に、ゴム部材２２３Ｌ，２２３Ｒに替えて、袋状部材としてのエアバッグを装着した例を第４変形例として図１２，図１３に示した。この図１２，図１３では、第２変形例と共通の各部については、符号の十の位以下を図１０と同じ数字ないし英字を用いて表わしている。図１２はエアバッグ７２３Ｒ，７２４Ｒ内の空気ＡＲがほぼ抜けた状態における開口７２７Ｒ周辺の様子を示す説明図である。図１２（Ａ）は上部７２０の上面を表わしており、図１２（Ｂ）は図１２（Ａ）の１２Ｂ−１２Ｂ線に沿って切断したときの矢視断面形状を表している。図１３は上部７２０内に下肢部分ＦＴｍが挿入されてエアバッグ７２３Ｒ，７２４Ｒ内に空気ＡＲが供給された状態における開口７２７Ｒ周辺の様子を示す説明図である。図１３（Ａ）は上部７２０の上面を表わしており、図１３（Ｂ）は図１３（Ａ）の１３Ｂ−１３Ｂ線に沿って切断したときの矢視断面形状を表している。なお、図１３では、説明の便宜上、下肢ＦＴを点模様のハッチングを用いて表わすと共に、太めの下肢ＦＴの外形を実線で表わし、細めの下肢ＦＴの外形を二点鎖線で表わしている。
【００６３】
図示するように、開口７２７Ｒを形成する周端面には２つの溝７２６Ｒ，７２９Ｒが設けられている。溝７２６Ｒは装置の前方向の周端面に形成されており、溝７２６Ｒよりもやや下方に位置する溝７２９Ｒは、装置の後方向の周端面に形成されている。なお、図１２（Ａ）に示す範囲ＤＭにおいては、溝７２６Ｒおよび溝７２９Ｒの双方が形成されている。
【００６４】
上記の溝７２６Ｒ，７２９Ｒには可撓性材料であるポリ塩化ビニルで形成されたエアバッグ７２３Ｒ，７２４Ｒが挿入されている。挿入されたエアバッグ７２３Ｒ，７２４Ｒの外周面は溝７２６Ｒ，７２９Ｒの内壁に弾性接着されている。これにより、エアバッグ７２３Ｒとエアバッグ７２４Ｒとで囲まれた範囲の内側に、足を挿入可能な大きさの穴部７２５Ｒが形成されている。
【００６５】
装置の前方向に位置するエアバッグ７２３Ｒには前側用ポンプ７６６が接続されており、装置の後方向に位置するエアバッグ７２４Ｒには、前側用ポンプ７６６と同期して作動する後側用ポンプ７６７が接続されている。この前側用ポンプ７６６や後側用ポンプ７６７は、エアバッグ７２３Ｒ，７２４Ｒ内への空気ＡＲの供給およびエアバッグ７２３Ｒ，７２４Ｒ内の空気の排出を実現可能に構成されている。なお、図示しない開口７２７Ｌ内にも、開口７２７Ｒ内と同様に、前側用ポンプ７６６に接続されたエアバッグ７２３Ｌ，後側用ポンプ７６７に接続されたエアバッグ７２４Ｌが設けられている。
【００６６】
このように構成された装置を使用する際、使用者は、まず、開口７２７Ｒ内の穴部７２５Ｒから足を入れて上部７２０内に下肢部分ＦＴｍを挿入する。この後、使用者は、前側用ポンプ７６６や後側用ポンプ７６７を作動させる。これにより、エアバッグ７２３Ｒ，７２４Ｒの内部に空気ＡＲが供給される。こうした空気ＡＲの供給により、エアバッグ７２３Ｒ，７２４Ｒが次第に膨らんで穴部７２５Ｒの大きさが徐々に小さくなり、やがて、図１３（Ａ）に示したように、エアバッグ７２３Ｒ，７２４Ｒが下肢ＦＴの部位ＦＴｓに当たって部位ＦＴｓの周囲に密着する。この状態において、開口７２７Ｒ内の範囲ＤＭには、エアバッグ７２３Ｒとエアバッグ７２４Ｒとが上下に重なる部分である重合部ＤＲが形成される。
【００６７】
エアバッグ７２３Ｒ，７２４Ｒが部位ＦＴｓの周囲に密着すると、前側用ポンプ７６６や後側用ポンプ７６７からの空気ＡＲの供給に抵抗が生じる。前側用ポンプ７６６，後側用ポンプ７６７は、上記の抵抗の発生を検知してエアバッグ７２３Ｒ，７２４Ｒへの空気ＡＲの供給を停止する。
【００６８】
なお、前側用ポンプ７６６，後側用ポンプ７６７からエアバッグ７２３Ｒ，７２４Ｒに供給される空気ＡＲの量が多くなるほど、エアバッグ７２３Ｒ，７２４Ｒがより内側に膨らみ、穴部７２５Ｒの大きさが小さくなる。よって、図１２に二点鎖線で示したように、下肢ＦＴの細い人が本装置を使用した場合においても、下肢ＦＴの部位ＦＴｓの周囲にエアバッグ７２３Ｒ，７２４Ｒを密着させることができる。
【００６９】
このような第４変形例によれば、エアバッグ７２３Ｒ，７２４Ｒに供給される空気ＡＲの量を調節することにより、穴部７２５Ｒの形状を、種々の太さの下肢ＦＴ形状に追従させることが可能となる。従って、上記実施例と同様に、飛散湯水の装置外部への漏出を防止することができる。
【００７０】
なお、前側用ポンプ７６６，後側用ポンプ７６７による供給物は、空気以外の流体であっても差し支えない。例えば、空気に替えて湯を供給する構成とすれば、装置の使用中に、下肢ＦＴの部位ＦＴｓの周囲を暖めることができる。
【００７１】
また、上記実施例では、弾性部材としてのゴム部材２３Ｌ，２４Ｌ，２３Ｒ，２４Ｒを前カバー２１ないし後カバー２２に形成された開口２７Ｌ，２７Ｒ内に設けたが、弾性部材が設けられる範囲は適宜変更することができる。例えば、上記実施例の下肢水浴装置１０において、前カバー２１や後カバー２２の全体をゴム等の弾性体で形成し、この前カバー２１や後カバー２２に下肢挿入用の穴部２５Ｌ，２５Ｒを設ける構成としてもよい。また、上記第２変形例の下肢水浴装置２１０において、天壁２２０ｔの全体をゴム等の弾性体で形成し、この天壁２２０ｔに下肢挿入用の穴部２２５Ｌ，２２５Ｒを設ける構成としてもよい。
【００７２】
上記実施例や第１変形例，第３変形例，第４変形例では、開口２７Ｌ，２７Ｒ，１２７Ｌ，１２７Ｒ，６２７Ｌ，６２７Ｒ，７２７Ｌ，７２７Ｒ内に設けられる重合部ＤＬ，ＤＲを２箇所としたが、開口２７Ｌ，２７Ｒ，１２７Ｌ，１２７Ｒ，６２７Ｌ，６２７Ｒ，７２７Ｌ，７２７Ｒ内に３箇所以上の重合部ＤＬ，ＤＲを設けてもよい。
【００７３】
また、上記実施例や第１変形例では、開口２７Ｌ，２７Ｒ，１２７Ｌ，１２７Ｒ内に２枚のゴム部材が重なる部分（重合部ＤＬ，ＤＲ）を設けたが、図１０に示した第２変形例としての下肢水浴装置２１０のように、重合部ＤＬ，ＤＲを設けず、開口２２７Ｌ，２２７Ｒ内に１枚のゴム部材２２３Ｌ，２２３Ｒを装着する構成としてもよい。
【００７４】
なお、穴部２５Ｌ，２５Ｒ，１２５Ｌ，１２５Ｒ，２２５Ｌ，２２５Ｒの周囲の弾性部材の形状は、上部２０，１２０，２２０内への下肢の出し入れや下肢との密着度合いを考慮して、種々の形状に変更することができる。こうした変更例を、第５変形例として図１４に示した。例えば、図１４（Ａ）に示すように、第２変形例における開口２２７Ｌ，２２７Ｒに、穴部５２５Ｌ，５２５Ｒの周囲にスリットＳＬが入った形状のゴム部材５２３Ｌ，５２３Ｒを装着することとしてもよい。また、図１４（Ｂ）に示したように、上記の複数枚のゴム部材５２３Ｌ（若しくはゴム部材５２３Ｒ）をスリットＳＬの位置をずらしながら重ねることによって形成された重合部材５２３ＷＬ（若しくは重合部材５２３ＷＲ）を、開口２２７Ｌ（若しくは開口２２７Ｒ）に装着すれば、飛散湯水の装置１０外部への漏出防止の確実性をより高めることができる。なお、左右のゴム部材５２３Ｌ，５２３Ｒや重合部材５２３ＷＬ，５２３ＷＲを一体として成形してもよい。左右のゴム部材５２３Ｌ，５２３Ｒを一体として成形したゴム部材５２３を図１４（Ｃ）に示した。このゴム部材５２３を開口に装着する場合には、下肢水浴装置の天壁２２０ｔの一箇所のみに開口２２７（直立状態で両足が入る程度の大きさのもの）を設ければよい。
【００７５】
上記の実施例や変形例では、下肢を取り囲む開口を絞る絞り手段を弾性部材によって実現したが、同様の絞り手段を弾性部材以外の部材を用いて実現することも可能である。この一例を第６変形例として図１５に示した。この第６変形例としての下肢水浴装置３１０は、第２変形例の下肢水浴装置２１０の開口２２７Ｌ，２２７Ｒ内に、弾性部材としてのゴム部材２２３Ｌ，２２３Ｒに替えて、可撓性部材（折り曲げるような力がかかっても壊れない性質を有する部材）３３１Ｌ，３３１Ｒを設けたものである。図１５では、可撓性部材３３１Ｒが設けられた開口２２７Ｒ付近を上から見たときの様子を示している。
【００７６】
可撓性部材の成形材料としては、不織布等の防水布、防水性に富んだ合成樹脂（例えば、ナイロン，ポリエステル，ポリ塩化ビニル，ポリアミド，ポリビニルアセタール，ポリエチレンテレフタラート，ポリアクリロニトリル，ポリ塩化ビニリデン，ポリオフィレン）製の軟質フィルム、ゴムラミネート膜材のほか、上記の材料を他の材料と複合化したもの等を考えることができる。この複合化材料としては、上記の材料に弾性材料を混入したもののほか、上記の材料にアルミニウム箔等の金属箔を積層したもの、上記の材料と他の材料とを断熱材を挟んで積層したもの等を考えることができる。また、可撓性部材の表面に耐水処理を施してもよい。
【００７７】
図１５に示すように、開口２２７Ｒ内には可撓性部材３３１Ｒが設けられている。この可撓性部材３３１Ｒは、天壁２２０ｔの裏面に装着されている。可撓性部材３３１Ｒは、開口２２７Ｒの中心部に空隙部分である穴部３２５Ｒを備える。穴部３２５Ｒの周囲の可撓性部材３３１Ｒには袋部３３２Ｒが形成されており、袋部３３２Ｒ内には、１本の紐３３３Ｒが、その両端を外部に露出した状態で挿通されている。
【００７８】
このように構成された下肢水浴装置３１０を使用する際、使用者は、まず、袋部３３２Ｒを拡げて紐３３３Ｒを緩める。これにより穴部３２５Ｒの面積が大きくなる。続いて、穴部３２５Ｒから足を入れて水浴対象となる下肢部分ＦＴｍを上部２２０内に挿入し、足置き台２５０に足を載せる。この後、紐３３３Ｒの両端を引っ張り、可撓性部材３３１Ｒよりも上方に露出された下肢ＦＴの所定の部位ＦＴｓの周囲を紐３３３Ｒで適度に締め付けながら、紐３３３Ｒを結ぶ。これにより、袋部３３２Ｒは、部位ＦＴｓの周囲長の長短に拘らず、部位ＦＴｓの周囲に密着し、開口２２７Ｒと下肢ＦＴとの間に生じる隙間は下肢ＦＴの形状の相違に拘らず微小となる。従って、上部２２０内の飛散湯水が下肢ＦＴと開口２２７Ｒとの間から装置３１０の外部に漏れ出すことを確実に防止することができる。なお、図１５では右足用の開口２２７Ｒを例として説明したが、左足用の開口２２７Ｌにも、上記可撓性部材３３１Ｒと同様の紐３３３Ｌ付きの可撓性部材３３１Ｌが設けられている。よって、飛散湯水が下肢ＦＴと開口２２７Ｌとの間から装置３１０の外部に漏れ出すことを確実に防止することができる。
【００７９】
第６変形例において、紐３３３Ｒ以外の部材を用いて袋部３３２Ｒを下肢ＦＴに密着させることとしてもよい。この一例を第７変形例として図１６に示した。この第７変形例としての下肢水浴装置４１０は、第６変形例の下肢水浴装置３１０の開口２２７Ｌ，２２７Ｒ内に、紐３３３Ｌ，３３３Ｒ付きの可撓性部材３３１Ｌ，３３１Ｒに替えて、ファスナー４３３Ｌ，４３３Ｒ付きの可撓性部材４３１Ｌ，４３１Ｒを設けたものである。図１６では、可撓性部材４３１Ｒが設けられた開口２２７Ｒ付近を上から見たときの様子を示している。
【００８０】
このように構成された下肢水浴装置４１０を使用する際、使用者は、まず、ファスナー４３３Ｒを下げて穴部４２５Ｒの面積を大きくする。続いて、穴部４２５Ｒから足を入れて水浴対象となる下肢部分ＦＴｍを上部２２０内に挿入して足置き台２５０に足を載せ、ファスナー４３３Ｒを、穴部４２５Ｒ内の下肢ＦＴに当接するまで上げる。これにより、穴部４２５Ｒの周囲の可撓性部材４３１Ｒ（ファスナー４３３Ｒのレール部も含む）が、下肢ＦＴの所定の部位ＦＴｓの周囲長の長短に拘らず、部位ＦＴｓの周囲に密着し、開口２２７Ｒと下肢ＦＴとの間に生じる隙間は下肢ＦＴの形状の相違に拘らず微小となる。従って、上部２２０内の飛散湯水が下肢ＦＴと開口２２７Ｒとの間から装置４１０の外部に漏れ出すことを確実に防止することができる。なお、図１６では右足用の開口２２７Ｒを例として説明したが、左足用の開口２２７Ｌにも、上記可撓性部材４３１Ｒと同様のファスナー４３３Ｌ付きの可撓性部材４３１Ｌが設けられている。よって、飛散湯水が下肢ＦＴと開口２２７Ｌとの間から装置４１０の外部に漏れ出すことを確実に防止することができる。
【００８１】
なお、上記の第７変形例において、ファスナー４３３Ｒに替えて面ファスナーを用いてもよい。また、第６変形例，第７変形例において、紐３３３Ｒやファスナー４３３Ｒ以外の部材を用いて、袋部３３２Ｒや穴部４２５Ｒの周囲の可撓性部材４３１Ｒを下肢ＦＴに密着させることとしてもよい。例えば、第６変形例の袋部３３２Ｒ内に紐３３３Ｒに替えてリング形状のゴムを収納し、このゴムの弾性変形を利用して袋部３３２Ｒを下肢ＦＴに密着させる構成を考えることができる。
【００８２】
以上、本発明の実施の形態を実施例，変形例に基づいて説明したが、本発明はこうした実施例等に何等限定されるものではなく、本発明の要旨を逸脱しない範囲内において種々なる様態で実施し得ることは勿論である。例えば、上記実施例ないし上記変形例を適宜組み合わせて実施しても差し支えない。
【００８３】
上記実施例ないし変形例の下肢水浴装置１０，１１０，２１０，３１０，４１０は、給水設備や排水設備を備えた空間（例えば、浴室）浴室内に設置して使用されるが、ノズル吐水用の湯水を貯留する給水タンクを電動ポンプ６０に接続しつつ下部３０等に内蔵する構成とすれば、給水設備のない場所でも足浴を行なうことができる。更に、上部２０内の飛散湯水を受け入れる排水タンクを排水孔２８の途中に設ければ、給排水設備のない一般の室内でも足浴を行なうことができる。
【００８４】
また、給水機構に瞬間式のヒータを設けることも可能である。こうすれば、給水管６３に給水された水はヒータで温水化されて吐水ノズル４０に供給される。従って、給湯設備がない場所においても足に温水を得ることができる。
【００８５】
上記実施例および変形例において、上部２０にシーズヒータを埋め込む構成を採ることも可能である。例えば、シーズヒータを足置き台５０に埋め込んだ場合には、下肢水浴装置１０の使用中に足裏を暖めることができる。
【００８６】
また、上部２０内への送風を行なう送風機を設ければ、足浴後の足を乾かすことが可能となり好適である。特に、送風機による送風を足指間に向けて行なえば、股状で乾きにくい足指間を早期に乾かすことができる。
【００８７】
上記実施例および変形例において、制御装置６４が吐水ノズル４０の向きを制御するよう構成してもよい。こうすれば、足置き台５０に載置された足のサイズの大小に拘らず、下肢の一定の位置（例えば、足の裏の特定のつぼ）に吐水ノズル４０からの湯水を着水させることができる。
【００８８】
なお、上記実施例や変形例では、足に湯水を吐水する吐水ノズル４０を設けたが、こうした吐水ノズル４０に替えて、霧状の湯水を噴霧するノズルを設けても良い。
【図面の簡単な説明】
【図１】本発明の実施例としての下肢水浴装置１０の概略構成を示す説明図である。
【図２】下肢水浴装置１０における湯水の吐水の様子を示す説明図である。
【図３】足置き台５０の拡大断面を示す説明図である。
【図４】吐水ノズル４０の作動の様子を説明する説明図である。
【図５】上部２０内への下肢ＦＴの配置に伴って開口２７Ｒ内が変化する様子を示す説明図である。
【図６】前カバー２１および後カバー２２を閉止した状態における上部２０付近の側面を示す説明図である。
【図７】吐水状態制御処理ルーチンを示すフローチャートである。
【図８】吐水状態制御処理ルーチンを示すフローチャートである。
【図９】第１変形例としての下肢水浴装置１１０を示す説明図である。
【図１０】第２変形例としての下肢水浴装置２１０を示す説明図である。
【図１１】第３変形例を示す説明図である。
【図１２】第４変形例において、エアバッグ７２３Ｒ，７２４Ｒ内の空気ＡＲがほぼ抜けた状態における開口７２７Ｒ周辺の様子を示す説明図である。
【図１３】第４変形例において、上部７２０内に下肢部分ＦＴｍが挿入されてエアバッグ７２３Ｒ，７２４Ｒ内に空気ＡＲが供給された状態における開口７２７Ｒ周辺の様子を示す説明図である。
【図１４】第５変形例を示す説明図である。
【図１５】第６変形例を示す説明図である。
【図１６】第７変形例を示す説明図である。
【符号の説明】
１０，１１０，２１０，３１０，４１０…下肢水浴装置
１２，１１２，２１２…本体
１５…ゴム足
１６…ゴムパッキン
１９…リモコン装置
１９ａ…吐水スイッチ
１９ｂ…カバー開閉スイッチ
１９ｃ…水勢設定スイッチ
２０，１２０，２２０，６２０，７２０…上部
２１，６２１…前カバー
２１ａ…マグネットスイッチ
２１ｔ…側端面
２２，６２２…後カバー
２２ａ…マグネットスイッチ
２２ｂ…ゴムパッキン
２２ｔ…側端面
２３Ｌ，２３Ｒ，２４Ｌ，２４Ｒ，１２３Ｌ，１２３Ｒ，１２４Ｌ，１２４Ｒ，２２３Ｌ，２２３Ｒ，５２３Ｌ，５２３Ｒ、５２３…ゴム部材
２５Ｌ，２５Ｒ，１２５Ｌ，１２５Ｒ，２２５Ｌ，２２５Ｒ，３２５Ｌ，３２５Ｒ，４２５Ｌ，４２５Ｒ，５２５Ｌ，５２５Ｒ，６２５Ｌ，６２５Ｒ，７２５Ｌ，７２５Ｒ…穴部
２７Ｌ，２７Ｒ，１２７Ｌ，１２７Ｒ，２２７Ｌ，２２７Ｒ，６２７Ｌ，６２７Ｒ，７２７Ｌ，７２７Ｒ…開口
２８…排水孔
３０…下部
３８…収納室
４０…吐水ノズル
４１…ノズルブロック
４２…流入室
４４…ノズル体
４５…吐水孔
４６…開口
４８…ガイド部
５０…足置き台
５０ａ…踵凹所
５１…貫通穴
５２…足裏センサ
５３…孔
５４…上面板
６０…電動ポンプ
６１…可撓管
６３…給水管
６４…制御装置
１２０ａ，１２１ａ…マグネットスイッチ
１２１…カバー
１５０ａ…踵凹所
２２０ｔ…天壁
３３１Ｌ，３３１Ｒ，４３１Ｌ，４３１Ｒ…可撓性部材
３３２Ｌ，３３２Ｒ…袋部
３３３Ｌ，３３３Ｒ…紐
４３３Ｌ．４３３Ｒ…ファスナー
５２３ＷＬ，５２３ＷＲ…重合部材
６２３Ｌ，６２３Ｒ…多孔体
６２４Ｌ，６２４Ｒ…多孔体
７２３Ｌ，７２３Ｒ…エアバッグ
７２４Ｌ，７２４Ｒ…エアバッグ
７２６Ｌ，７２６Ｒ…溝
７２９Ｌ，７２９Ｒ…溝
７６６…前側用ポンプ
７６７…後側用ポンプ
ＤＬ，ＤＲ…重合部
ＦＴ…下肢
ＦＴｍ…下肢部分
ＦＴｓ…部位
【図１】
2004267656.tif 000003
【図２】
2004267656.tif 000004
【図３】
2004267656.tif 000005
【図４】
2004267656.tif 000006
【図５】
2004267656.tif 000007
【図６】
2004267656.tif 000008
【図７】
2004267656.tif 000009
【図８】
2004267656.tif 000010
【図９】
2004267656.tif 000011
【図１０】
2004267656.tif 000012
【図１１】
2004267656.tif 000013
【図１２】
2004267656.tif 000014
【図１３】
2004267656.tif 000015
【図１４】
2004267656.tif 000016
【図１５】
2004267656.tif 000017
【図１６】
2004267656.tif 000018